(57)【要約】 【課題】開閉自在とした操作板部１の開口先端の対向個所を挟持面部２とした挟み具において、挟持対象物Ａの挟持が確実になされ、先端での切断が生ずる虞を無くし、更に先端で肌など傷付けない挟持面部２を簡単な構造で実現する。【解決手段】  挟持面部２を膨出湾曲面に形成すると共に、操作板部１を閉口して挟持面部２を当接した際に、挟持個所２１となる当接位置の先端に近接し、且つその当接位置から先端側が僅かに開口２２する形状に形成してなる。【選択図】図３
2015150307.tif 000002
【特許請求の範囲】
【請求項１】
開閉自在とした操作板部の開口先端の対向個所を挟持面部とした挟み具において、前記挟持面部を膨出湾曲面に形成すると共に、操作板部を閉口して前記挟持面部を当接した際に、当接位置が先端に近接し、且つ当接位置から先端側が僅かに開口する形状に形成してなることを特徴とする挟み具。
【請求項２】
挟持面部の開口先端縁をＲ状に形成してなる請求項１記載の挟み具。
【請求項３】
操作板部の基端部をＵ状に屈曲して開閉自在とし、前記操作板部の先端を対向側に湾曲させた対向端面を挟持面部としてなる請求項１又は２記載の挟み具。
【請求項４】
操作板部の基端部を重ね合わせて溶接して開閉自在とし、前記操作板部の開口先端に対向側に突出する対向面を形成して挟持面部としてなる請求項１又は２記載の挟み具。
【発明の詳細な説明】
【技術分野】
【０００１】
本発明は、毛抜き具や骨抜き具等の細線状のものを挟んで引き抜くために使用する挟み具に関するものである。
【背景技術】
【０００２】
毛抜き具や骨抜き具等の挟み具は、図２（ロ）に示す通り基端部をＵ状に屈曲して開閉自在とした操作板部０１の先端を対向側に湾曲させて対向端面を挟持面部０２とした構成と、図５（ロ）に示す通り基端部を重ね合わせて溶接して開閉自在とした操作板部０４の開口先端に対向側に突出する対向面を形成して挟持面部０５とした構成とが知られている。
【０００３】
挟持面部は、平面（特許文献１）、咬合段差面（特許文献２）或いは凹凸面（特許文献３）に形成しているもので、前記操作板部の開閉操作で挟持対象物（体毛、魚の骨等）を挟持部で強圧保持して、引き抜きを行うものである。
【０００４】
特に前記挟持面部０２，０５の先端縁０３，０６が鋭角に形成されていると、前記先端個所で肌を傷付ける恐れがあるので、前記先端縁を丸み帯びた曲線状に形成することが提案されている（特許文献１，２，３）。
【先行技術文献】
【特許文献】
【０００５】
【特許文献１】登録実用新案３０２７５９１号公報。
【特許文献２】特開２００７−８２９２３号公報。
【特許文献３】登録実用新案３０５９５９１号公報。
【発明の概要】
【発明が解決しようとする課題】
【０００６】
挟み具の挟持面部は、一般的に平面であり体毛の脂分、骨に付着した脂肪分等によって挟持対象物が滑って引き抜きがスムーズに行われない恐れがあり、その対応として前記特許文献２では咬合段差面が提案され、特許文献３では凹凸面が提案されている。
【０００７】
しかし前記挟持面部は、製造上の加工性の点で必ずしも簡単であるとは言い難い。また挟み具を使用している際に、挟持対象物を挟んだ状態で器具を挟持状態から傾けて挟持対象物が挟持面部先端の角に当接すると、挟持対象物（毛や魚の骨）が切断してしまい、引き抜くという目的が達成できないが、前記特許文献１，２，３においては、挟持面部先端縁を丸く形成して、前記の課題には対応できるが、挟持面の課題は解決されていない。
【０００８】
そこで本発明は、加工容易な挟持面による挟持の確実性並びに、使用時の挟持対象物の非切断を実現する新規な挟持面を備えた挟み具を提案したものである。
【課題を解決するための手段】
【０００９】
本発明に係る挟み具は、開閉自在とした操作板部の開口先端の対向個所を挟持面部とした挟み具において、前記挟持面部を膨出湾曲面に形成すると共に、操作板部を閉口して前記挟持面部を当接した際に、挟持個所となる当接位置が先端に近接し、且つ当接位置の先端側が僅かに開口する形状に形成してなることを特徴とするものである。
【００１０】
而して従前器具と同様に挟持対象物を器具先端の挟持面部で挟んで、当該対象物を引き抜くもので、当該対象物は挟持面部の当接挟持箇所（先基方向を横断する線状帯）でのみ挟持するので、当該箇所に操作板部の閉口方向の力が集中し強い挟持力で保持されるので、引き抜きに際して、当該対象物が滑って外れる可能性を激減させたものである。更に当接位置（挟持個所）より先端側が僅かに開口しているので、引き抜き操作中に器具が傾いても、先端の角で当該対象物が切断されることがない。
【００１１】
また請求項２記載の発明は、特に挟持面部の開口先端縁をＲ状に形成してなるもので、体毛の毛抜きを行う場合に、その先端で肌を傷付けることが無い。
【発明の効果】
【００１２】
本発明の構成は上記のとおりで、挟持面部を挟持時に先端が開口する膨出湾曲面に形成するという簡易な構造であるため、従来器具のように挟持面部となる操作板部の先端を正確に突き合せることなく、斜め状態で対向させても、膨出湾曲面を容易に形成でき製造上の利点を有すると共に、引き抜き対象物の挟持の確実性を高め、且つ使用時の挟持対象物の切断の恐れを無くしたものである。
【図面の簡単な説明】
【００１３】
【図１】本発明の第一実施形態の全体斜視図。
【図２】同先部の正面図で（イ）が本発明、（ロ）は従来例を示す。
【図３】同使用状態（挟持時状態）の拡大図。
【図４】同第二実施形態の全体斜視図。
【図５】同先部の正面図で（イ）が本発明、（ロ）は従来例を示す。
【図６】同使用状態（挟持時状態）の拡大図。
【発明を実施するための形態】
【００１４】
次に本発明の実施形態について説明する。図１乃至図３は主として骨抜き器具として使用される第一実施形態を示したもので、その基本構成は従前の器具と同様で、操作板部１の基端部をＵ状に屈曲して開閉自在とし、前記操作板部１の先端を対向側に曲げて、端面を対向させて挟持面部２としたものである。  
【００１５】
特に本発明は、前記の挟持面部２を膨出湾曲面の形状としたものであって、特に操作板部１の先端面を正確に対向させる必要がなく、所定の膨出湾曲面を形成できれば良いものである。そしてこの膨出湾曲面は、操作板部１を閉口して挟持面部２を当接した際に、挟持個所２１となる当接位置の先端側（１ｍｍ程度）に僅かに開口２２（先端開口幅０．１ｍｍ程度）が形成される形状としたものであり、更に開口先端縁２３を刃先のように尖らせずに、Ｒ状（刃引き様）に形成してなるものである。
【００１６】
而して前記第一実施形態の器具は、従前の骨抜き器具と同様に挟持対象物（魚の骨）Ａを器具先端の挟持面部２で挟んで引き抜くもので、当該対象物Ａは挟持面部２の挟持箇所（先基方向を横断する線状帯）２１でのみ挟持するため、挟持操作を行うために操作板部１を閉口方向に加えた力は、すべて線状帯である挟持個所２１に集中することになり、挟持対象物（魚の骨）Ａは、強い挟持力で保持されることになる。
【００１７】
従って、本発明は、挟持面を咬合段差面に形成し、或いは凹凸面に形成することなく、膨出湾曲面という加工で、挟持対象物Ａの引き抜きに際して、当該対象物Ａが滑って外れる可能性を激減させたものである。
【００１８】
また挟持面部２の先端側の開口２２が存在しているので、引き抜き操作中に器具が傾いても、当該対象物Ａが当該開口２２の範囲で移動（角度変更）が可能であり、対象物Ａが開口先端縁２３を跨いで接することが無いので、対象物Ａが切断することがなく、確実な引き抜き操作が可能である。
【００１９】
更に挟持面部２の開口先端縁２３をＲ状に形成しているため、当該先端縁２３で傷付ける恐れがない。
【００２０】
図４乃至図６は主として毛抜きとして使用される第二実施形態を示したもので、その基本構成は、操作板部３の基端部を重ね合わせて溶接して開閉自在とし、前記操作板部の開口先端に対向側に突出する対向面を形成して挟持面部４としてなる。
【００２１】
前記挟持面部４は、第一実施形態と同様に膨出湾曲面形状とし、膨出湾曲面は、操作板部３を閉口して挟持面部４を当接した際に、横断線のように当接する挟持個所４１が、先端よりに僅かに基方で、且つその先端方向は開口４２し、且つ開口先端縁４３は微小Ｒ状に形成したものである。
【００２２】
而して第二実施形態の器具は、前記第一実施形態と同様で、挟持対象物（体毛やとげ）を器具先部の挟持面部４で挟んで引き抜く際に、挟持面部４の挟持箇所４１でのみ挟持されるので、操作板部１に対する操作力が当該挟持個所４１に集中し、強い挟持力で保持されることになる。
【００２３】
また挟持面部４の開口先端縁４３をＲ状に形成しているため、毛抜きやとげ抜き時の使用に際して、開口先端縁４３で肌を傷付ける恐れがない。
【符号の説明】
【００２４】
１，３      操作板部
２，４      挟持面部
２１，４１    挟持個所
２２，４２    開口
２３，４３    開口先端縁
【図１】
2015150307.tif 000003
【図２】
2015150307.tif 000004
【図３】
2015150307.tif 000005
【図４】
2015150307.tif 000006
【図５】
2015150307.tif 000007
【図６】
2015150307.tif 000008